(57)【要約】【課題】メモ用紙（メモ帳）において、日付情報の記入を容易にすると共に、伝言や連絡に際し、日付情報を正確に伝達できるようにする。【解決手段】メモ用紙２は、少なくともメモ欄８を有する表面６と、少なくともカレンダー欄１４が印刷された裏面７とを備え、メモ用紙２自体がカレンダー機能も併せ持つ。また、裏面７のカレンダー欄１４は、マークの記入により日付を指定可能であり、表面６には、カレンダー欄１４の参照を促すメッセージ１２ａ（例えば、「裏面のカレンダーに記入あり」）が印刷されている。【選択図】        図２
2004306520.tif 000002
【特許請求の範囲】
【請求項１】
メモの記入に用いられるメモ用紙であって、
該メモ用紙は、少なくともメモ欄を有する表面と、少なくともカレンダーが印刷された裏面とを備えることを特徴とするメモ用紙。
【請求項２】
請求項１記載のメモ用紙において、前記カレンダーは、１２か月の曜日表を含む年間カレンダーであることを特徴とするメモ用紙。
【請求項３】
請求項１又は２記載のメモ用紙において、前記表面及び／又は裏面は、広告が印刷された広告欄を有することを特徴とするメモ用紙。
【請求項４】
請求項１〜３のいずれかに記載のメモ用紙において、前記カレンダーは、マークの記入により日付を指定可能であり、前記表面には、前記カレンダーの参照を促すメッセージが印刷されていることを特徴とするメモ用紙。
【請求項５】
請求項１〜４のいずれかに記載のメモ用紙を複数枚積層すると共に、各メモ用紙の一辺を切離し自在に連結して形成されることを特徴とするメモ帳。
【発明の詳細な説明】
【０００１】
【発明の属する技術分野】
本発明は、メモの記入に用いられるメモ用紙及びメモ帳に関し、特に、各種企業が宣伝のために配布するベルティ商品として好適なメモ用紙及びメモ帳の技術分野に属するものである。
【０００２】
【従来の技術】
一般に、メモ用紙及びメモ帳は、個人的なメモ書きの他、伝言、連絡などに広く利用されている。特に、メモ帳は、価格が比較的安く、しかも、配布が容易であることから、多くの企業が宣伝用のノベルティとして採用している。そのため、近年では、メモ帳にメモ以外の機能を付け加え、ノベルティとしての有用性を高めることが求められている。
【０００３】
また、メモ用紙を伝言や連絡に用いる場合は、その内容に日付情報が含まれていることが多い。このようなメモを書き込む際には、通常、カレンダーを見るため、メモ帳の近くにカレンダーが置かれていることが望ましい。
【０００４】
そこで、近年では、カレンダーとメモ帳を一体にすることにより、メモ帳の使い勝手を向上させ、その有用性を高めたものが提案されている（例えば、特許文献１、２参照。）。
このように構成されたカレンダー付きメモ帳は、電話機の近くなどの比較的目に付く場所に置かれ、しかも、カレンダーの期間が終るまでの長期間にわたって利用される可能性が高いため、ノベルティとしての有用性が高められるという利点がある。
【０００５】
【特許文献１】
特開平８−２５８４２号公報（第４頁、第１２図）
【特許文献２】
実用新案登録第３０３９４４２号公報（第２頁、第２図）
【０００６】
【発明が解決しようとする課題】
ところで、前記従来のカレンダー付きメモ帳は、単純にカレンダーとメモ帳とを一体化したものであるため、卓上で利用すると、広いスペースを占有するという問題がある。また、前記従来のカレンダー付きメモ帳は、組み立て式であるため、組み立てに手間がかかるだけでなく、製造コストが高くなるといった問題もあり、ここに本発明が解決しようとする課題があった。
【０００７】
さらには、メモ用紙に必要事項を書き込んだ後、このメモ用紙をメモ帳から切離して他の場所に貼り付けたり、連絡すべき相手に渡したりする場合、前記従来のカレンダー付きメモ帳では、切離されたメモ用紙自体がカレンダーの機能を有さないため、連絡事項などに含まれる日付情報が正確に伝達されない可能性があった。
【０００８】
【課題を解決するための手段】
本発明は、上記の如き実情に鑑み、これらの課題を解決することを目的として創作されたものであって、前記メモ用紙は、少なくともメモ欄を有する表面と、少なくともカレンダーが印刷された裏面とを備えることを特徴とする。
メモ用紙をこのように構成すれば、メモ用紙自体がカレンダー機能も併せ持つことになるため、近くにカレンダーを置かなくても、裏面のカレンダーを参照しながら、メモ用紙に日付情報を記入することが可能になる。
しかも、裏面のカレンダーにマークを付けるだけで、日付情報を記録できるため、日付情報を含む伝言や連絡が容易になるだけでなく、日付情報を正確に伝達することができる。
また、前記メモ用紙において、前記カレンダーは、１２か月の曜日表を含む年間カレンダーであることを特徴とする。
メモ用紙をこのように構成すれば、一年間という十分な利用期間を確保することができるため、ノベルティとしての価値を高めることができる。
さらに、メモ用紙（メモ帳）を配布する企業が、カレンダーに年間の定休日等を印刷することにより、付加価値の高いものとすることができる。
また、前記メモ用紙において、前記表面及び／又は裏面は、広告が印刷された広告欄を有することを特徴とする。
メモ用紙をこのように構成すれば、メモ用紙を使用することで、配布する企業の宣伝効果が期待できる。
しかも、メモ用紙は、両面に有用な機能を有するため、表裏のいずれの面に広告を付しても宣伝効果が期待できる。
また、前記メモ用紙において、前記カレンダーは、マークの記入により日付を指定可能であり、前記表面には、前記カレンダーの参照を促すメッセージが印刷されていることを特徴とする。
メモ用紙をこのように構成すれば、メモを受け取った人は、カレンダーの参照を促すメッセージによって、裏面のカレンダーを必ず参照するため、マークによって指定された日付情報を確実に伝達することが可能になる。
また、本発明のメモ帳は、前記メモ用紙を複数枚積層すると共に、各メモ用紙の一辺を切離し自在に連結して形成されることを特徴とする。
メモ帳をこのように構成すれば、メモ帳自体がカレンダー機能も併せ持つことになるため、従来のようにメモ帳にカレンダーを別途取り付ける必要なくなり、デスク等におけるメモ帳の占有スペースを小さくすることができる。
しかも、本発明のメモ帳は、組み立てを必要としないだけでなく、従来のカレンダー付きメモ帳に比べ、製造コストを削減できるという利点がある。
さらに、このように構成されたメモ帳では、積層されたメモ用紙の中層を開くことにより、前ページの裏面に印刷されたカレンダーを見ながら、メモをとることができる。
【０００９】
【発明の実施の形態】
次に、本発明の実施の形態を図面に基づいて説明する。図面において、１はメモ帳であって、該メモ帳１は、積重された複数枚のメモ用紙２と、該メモ用紙２を上下から挟む表紙３及び裏紙４と、表紙３、メモ用紙１及び裏紙４の上辺を連結する貼着シート５とから構成されている。
【００１０】
表紙３は、メモ帳１を配布する企業の名称、所在地、郵便番号、電話番号、ファックス番号等を印刷すことによって、宣伝効果を発揮する。さらに、写真等のデザインを付して美観を呈することにより、メモ帳１の価値を高めることができる。尚、本実施形態では、裏紙４に印刷を施していないが、表紙３と同様な印刷をしてもよい。
【００１１】
メモ用紙２は、表面６と裏面７とで構成されている。メモ用紙２の表面６は、メモ欄８、メモ日記入欄９、氏名記入欄１０、タイトル記入欄１１、チェック欄１２及び広告欄１３を備える一方、裏面６は、カレンダー欄１４及び広告欄１５を備える。
【００１２】
メモ欄８は、メモの具体的な内容を記入する部分であり、所定間隔を存して並列する複数の罫線によって構成されている。メモ日記入欄９は、メモを書いた日付を記入する部分であり、「月」と「日」の記入を求める。氏名記入欄１０は、メモを記入した者の氏名、又はメモを渡したい人の氏名を記入する部分であり、さらに、タイトル記入欄１１は、メモのタイトルを記入する部分である。
【００１３】
チェック欄１２には、複数のチェック項目があり、各チェック項目は、チェックボックスと文字列とを一組として構成されている。チェック項目としては、メモの種別を示す「メモ」、「電話あり（伝言下記）」、「連絡」、「指示」等があり、該当する部分のチェックボックスにチェックマークを記入することにより、メモ用紙２を受け取る人にメモの種別を伝えることができる。
【００１４】
さらに、メモの種別を示す文字列の下側には、カレンダー欄１４の参照を促すメッセージ１２ａ（例えば、「裏面のカレンダーに記入あり」）が印刷されている。つまり、裏面のカレンダー欄１４において、丸印などで日付を指定した場合は、上記メッセージ１２ａのチェックボックスにチェックマークを記入することにより、メモ用紙２を受け取る人に、カレンダー欄１４の参照を促すことができる。
【００１５】
裏面７のカレンダー欄１４には、一年分の月別カレンダー（曜日表）が印刷されている。したがって、メモ用紙２は、メモ用紙機能だけでなく、カレンダー機能も併せ持つことになる。メモを書きながらカレンダーを参照する場合は、そのメモ用紙２を裏返してもよいが、メモ帳１の中層を開けば、前ページのカレンダー欄１４を同時に見ることが可能となるため、カレンダー欄１４の参照が容易になる。
【００１６】
広告欄１３、１５は、メモ帳１を配布する企業の名称、所在地、郵便番号、電話番号、ファックス番号等を印刷すことによって、宣伝効果を発揮する。メモ用紙２は、表面６及び裏面７のいずれの面にも有用な機能を有するため、表裏両面に広告欄１３、１５を設ける場合だけでなく、表面６又は裏面７のいずれかに広告欄１３、１５を設けた場合でも、十分な広告機能を期待できる。
【００１７】
次に、上記メモ帳１及びメモ用紙２の使用方法について説明する。
メモ用紙２は、表面６のメモ欄８を使用して、メモを書き留めたり、情報を相手に伝える等の用途に使用できる。本発明のメモ用紙２は、裏面７にカレンダー欄１４を印刷してあるため、メモの内容に日付情報が含まれる場合は、カレンダー欄１４を参照し、正確な日付情報を表面６のメモ欄８に記入することができる。
【００１８】
また、メモ帳１は、複数枚積層されたメモ用紙２から構成されているため、積層されたメモ用紙２の中層を開くことによって、前ページの裏面７に印刷されたカレンダー欄１４を見ながら、表面６のメモ欄８等に情報を記入することが可能になる。。
また、メモ用紙２は、使用後であっても、カレンダーとして使用することができる。
【００１９】
また、メモ用紙２の表面６には、裏面７に印刷されたカレンダー欄１４の参照を促すメッセージ１２ａが印刷されているため、裏面７に印刷されたカレンダー欄１４において所定の日付にマークを付けるだけで、メモ用紙２を受け取る人に、日付情報を正確に伝えることが可能となる。
【００２０】
叙述の如く構成されたものにおいて、メモ用紙２は、少なくともメモ欄８を有する表面６と、少なくともカレンダー欄１４が印刷された裏面７とを備えるため、メモ用紙２自体がカレンダー機能も併せ持つことになる。そのため、近くにカレンダーを置かなくても、裏面７のカレンダー欄１４を参照しながら、メモ用紙２に日付情報を記入することが可能になる。
しかも、裏面７のカレンダー欄１４にマークを付けるだけで、日付情報を記録できるため、日付情報を含む伝言や連絡が容易になるだけでなく、日付情報を正確に伝達することができる。
【００２１】
また、カレンダー欄１４は、１２か月の曜日表を含む年間カレンダーであるため、一年間という十分な利用期間を確保し、ノベルティとしての価値を高めることができる。
さらに、メモ用紙２（メモ帳１）を配布する企業が、カレンダー欄１４に年間の定休日等を印刷することにより、付加価値の高いものとすることができる。
【００２２】
また、メモ用紙２の表面６及び裏面７は、広告が印刷された広告欄１３、１５を有するため、メモ用紙２を使用することで、配布する企業の宣伝効果が期待できる。
しかも、メモ用紙２は、両面に有用な機能を有するため、表裏のいずれの面に広告を付しても宣伝効果が期待できる。
【００２３】
また、裏面７のカレンダー欄１４は、マークの記入により日付を指定可能であり、表面６には、カレンダー欄１４の参照を促すメッセージ１２ａが印刷されているため、カレンダー欄１４にマークを付けるだけで、メモ用紙２を受け取る人に日付情報を確実に伝達することができる。
【００２４】
また、メモ帳１は、上記のメモ用紙２を複数枚積層すると共に、各メモ用紙２の一辺を切離し自在に連結して形成されるものであるため、メモ帳１自体がカレンダー機能も併せ持つことになる。そのため、従来のようにメモ帳１にカレンダーを別途取り付ける必要なくなり、デスク等におけるメモ帳１の占有スペースを小さくすることができる。
【００２５】
しかも、本発明のメモ帳１は、組み立てを必要としないだけでなく、従来のカレンダー付きメモ帳に比べ、製造コストを削減できるという利点がある。
さらに、このように構成されたメモ帳１では、積層されたメモ用紙２の中層を開くことにより、前ページの裏面７に印刷されたカレンダー欄１４を見ながら、メモをとることができる。
【図面の簡単な説明】
【図１】閉じた状態のメモ帳を示す斜視図である。
【図２】中層を開いた状態のメモ帳を示す斜視図である。
【図３】メモ用紙の表面図である。
【図４】メモ用紙の裏面図である。
【符号の説明】
１      メモ帳
２      メモ用紙
３      表紙
４      裏紙
５      粘着シート
６      表面
７      裏面
８      メモ欄
１２    チェック欄
１２ａ  メッセージ
１３    広告欄
１４    カレンダー欄
１５    広告欄
【図１】
2004306520.tif 000003
【図２】
2004306520.tif 000004
【図３】
2004306520.tif 000005
【図４】
2004306520.tif 000006